(57)【要約】  磁気共鳴（ＭＲ）イメージングシステム１２のようなイメージングデバイスにおいて必要な構成要素補修を予測するとき、コイル電圧、位相ロック喪失（ＰＬＬ）事象などのような構成要素パラメータが、システム構成要素をモニタリングするためにサンプリングされる。電圧サンプルは、コイルプラグ接続事象及びプラグ接続解除事象に対するそれらの時間的近接性に従ってフィルタリングされて、プロセッサ４６によって障害レポートを送信すべきか否かを判定するために分析されるフィルタリング済みデータセットが生成される。補修推奨が、送信されているレポートに基づいて受信され、これは、根本原因診断、及び、ユーザインターフェース５０に出力される補修推奨を含む。
2020511217.tif 000002
【特許請求の範囲】
【請求項１】
構成要素信号分析に基づいて磁気共鳴（ＭＲ）イメージングデバイス内の差し迫った構成要素障害を識別することを容易にするシステムであって、前記システムは、
複数の無線周波数（ＲＦ）コイルを備えるＭＲイメージングデバイスと、
前記複数のＲＦコイルがそれぞれ異なる時点において電源に接続されるコネクタと、
プロセッサとを備え、前記プロセッサは、
前記複数のＲＦコイルの各々について、少なくとも１つのＲＦコイルパラメータをモニタリングし、
少なくとも１つの所定の測定基準に従ってデータポイントを廃棄することによって、フィルタリング済みデータセットを生成し、
前記フィルタリング済みデータセットに基づく少なくとも１つのシステム構成要素内の少なくとも１つの障害状態を識別し、
識別されている前記少なくとも１つの障害状態のレポートを送信し、
識別されている前記少なくとも１つの障害状態の根本原因を示す情報及び構成要素補修推奨を含む信号を受信し、
前記構成要素補修推奨をユーザインターフェース（ＵＩ）上に出力する、システム。
【請求項２】
モニタリングされている前記少なくとも１つのＲＦコイルパラメータは、前記少なくとも１つのＲＦコイルの測定電圧を含む、請求項１に記載のシステム。
【請求項３】
前記プロセッサはさらに、経時的な前記測定電圧の劣化を検出し、前記障害状態は、前記測定電圧が所定の閾値を下回るときに識別される、請求項２に記載のシステム。
【請求項４】
前記ＵＩ上に出力される前記構成要素補修推奨は、前記複数のＲＦコイルの各々を識別するテーブルと、各ＲＦコイルに対する補修推奨とを含む、請求項１乃至３のいずれか一項に記載のシステム。
【請求項５】
前記テーブルは、補修が推奨される、各ＲＦコイルの検出されている障害状態の根本原因をさらに含む、請求項４に記載のシステム。
【請求項６】
前記補修推奨は、前記根本原因が、所定の期間にわたって所定の閾値を下回る電圧劣化であると判定されたときに、前記ＲＦコイルを交換するための推奨である、請求項５に記載のシステム。
【請求項７】
前記ＲＦコイルはデジタルＲＦコイルである、請求項１乃至６のいずれか一項に記載のシステム。
【請求項８】
前記プロセッサはさらに、プラグ事象遅延期間内に入るデータポイントを廃棄することによって前記フィルタリング済みデータセットを生成する、請求項１乃至７のいずれか一項に記載のシステム。
【請求項９】
前記プラグ事象遅延期間は、所与のコイルが前記コネクタにプラグ接続され又は前記コネクタからプラグ接続解除される時点に隣接して、前記時点の前及び後のうちの少なくとも１つにおいて発生する所定の期間である、請求項８に記載のシステム。
【請求項１０】
モニタリングされている前記少なくとも１つのＲＦコイルパラメータは、位相ロック喪失事象であり、前記プロセッサはさらに、位相ロック喪失事象の数が、所定の期間、又は、プラグ事象周辺の有効時間範囲にわたってフィルタリングすることによって決定される期間のセット内で、所定の閾値を超えるときに、警告を生成する、請求項１乃至９のいずれか一項に記載のシステム。
【請求項１１】
前記システム構成要素は、
前記ＲＦコイルのうちの１つ又は複数を電源に接続するコネクタ、及び
前記ＲＦコイルのうちの１つ又は複数を前記コネクタに接続するコイルインターフェースのうちの１つである、請求項１乃至１０のいずれか一項に記載のシステム。
【請求項１２】
構成要素信号分析に基づいて磁気共鳴（ＭＲ）イメージングデバイス内の差し迫った構成要素障害を識別する方法であって、前記方法は、
少なくとも１つの無線周波数（ＲＦ）コイルパラメータを、コネクタを介して電源に周期的に接続される複数のＲＦコイルの各々についてモニタリングするステップと、    
少なくとも１つの所定の測定基準に従って、モニタリング中に収集されるデータポイントを廃棄することによって、フィルタリング済みデータセットを生成するステップと、
前記フィルタリング済みデータセットに基づく少なくとも１つのシステム構成要素内の少なくとも１つの障害状態を識別するステップと、
識別されている前記少なくとも１つの障害状態のレポートを送信するステップと、
識別されている前記少なくとも１つの障害状態の根本原因を示す情報及び構成要素補修推奨を含む信号を受信するステップと、
前記構成要素補修推奨をユーザインターフェース（ＵＩ）上に出力するステップと
を有する、方法。
【請求項１３】
モニタリングされている前記少なくとも１つのＲＦコイルパラメータは、前記少なくとも１つのＲＦコイルの周期的に測定される電圧を含む、請求項１２に記載の方法。
【請求項１４】
前記方法は、経時的な前記測定電圧の劣化を検出するステップをさらに有し、前記障害状態は、前記測定電圧が所定の閾値を下回るときに識別される、請求項１３に記載の方法。
【請求項１５】
前記ＵＩ上に出力される前記構成要素補修推奨は、前記複数のＲＦコイルの各々を識別するテーブルと、各ＲＦコイルに対する補修推奨とを含む、請求項１２乃至１４のいずれか一項に記載の方法。
【請求項１６】
前記テーブルは、補修が推奨される、各ＲＦコイルの検出されている障害状態の識別される根本原因をさらに含む、請求項１５に記載の方法。
【請求項１７】
前記補修推奨は、前記根本原因が、所定の期間にわたって所定の閾値を下回る電圧劣化であると判定されたときに、前記ＲＦコイルを交換するための推奨である、請求項１６に記載の方法。
【請求項１８】
プラグ事象遅延期間内に入るデータポイントを廃棄することによって前記フィルタリング済みデータセットを生成することをさらに有する、請求項１２乃至１７のいずれか一項に記載の方法。
【請求項１９】
前記プラグ事象遅延期間は、所与のコイルが前記コネクタにプラグ接続される又は前記コネクタからプラグ接続解除される時点に隣接して、前記時点の前及び後のうちの少なくとも１つにおいて発生する所定の期間である、請求項１８に記載の方法。
【請求項２０】
モニタリングされている前記少なくとも１つのＲＦコイルパラメータは、位相ロック喪失事象であり、前記方法は、位相ロック喪失事象の数が、所定の期間、又は、プラグ事象周辺の有効時間範囲にわたってフィルタリングすることによって決定される期間のセット内で、所定の閾値を超えるときに、警告を生成するステップをさらに有する、請求項１２乃至１９のいずれか一項に記載の方法。
【請求項２１】
前記システム構成要素は、
前記ＲＦコイルのうちの１つ又は複数を電源に接続するコネクタ、及び
前記ＲＦコイルのうちの１つ又は複数を前記コネクタに接続するコイルインターフェースのうちの１つである、請求項１２乃至２０のいずれか一項に記載の方法。
【請求項２２】
構成要素信号分析に基づいて磁気共鳴（ＭＲ）イメージングデバイス内の差し迫った構成要素障害を識別することを容易にするシステムであって、前記システムは、
複数の無線周波数（ＲＦ）コイルを備えるＭＲイメージングデバイスと、
前記複数のＲＦコイルがそれぞれ異なる時点において電源に接続されるコネクタと、
プロセッサとを備え、前記プロセッサは、
前記複数のＲＦコイルの電圧及び各々の少なくとも１つの位相ロック喪失事象のデータサンプルを収集し、
少なくとも１つの所定の測定基準に従ってデータサンプルを廃棄することによって、フィルタリング済みデータセットを生成し、
前記フィルタリング済みデータセットに基づく少なくとも１つのモニタリングされているＲＦコイル内の少なくとも１つの障害状態を識別し、
識別されている前記少なくとも１つの障害状態のレポートを送信し、
識別されている前記少なくとも１つの障害状態の根本原因を示す情報、及び
コイル補修推奨
を含む信号を受信し、
前記コイル補修推奨をユーザインターフェース（ＵＩ）上に出力する、システム。
【請求項２３】
前記少なくとも１つの所定の測定基準が、所与のコイルが前記コネクタにプラグ接続される又は前記コネクタからプラグ接続解除される時点に隣接して、前記時点の前及び後のうちの少なくとも１つにおいて発生するプラグ事象遅延期間であり、前記プロセッサはさらに、前記フィルタリング済みデータセットを、プラグ事象遅延期間内に入るデータサンプルを廃棄することによって生成する、請求項２２に記載のシステム。
【請求項２４】
前記少なくとも１つの所定の測定基準が、位相ロック喪失事象の所定の閾値数であり、前記プロセッサがさらに、前記フィルタリング済みデータセット内で検出される位相ロック喪失事象の数が、所定の期間内で、前記所定の閾値を超えるときに、警告を生成する、請求項２２に記載のシステム。
【発明の詳細な説明】
【技術分野】
【０００１】
[0001]  本発明は、イメージングシステム保守システム及び方法に適用される。しかしながら、記載されている技法はまた、他の構成要素障害検出システム、他の予測的保守技法などにも適用されることが了解されよう。
【背景技術】
【０００２】
[0002]  ＭＲスキャナのようなイメージング機器におけるデバイス及び／又は構成要素のエラーの検出は、複雑な作業である。この作業は、例えば、ソフト及びハードウェアのバージョンなどの構成要素バージョンの差異、コイルがアナログであるか又はデジタルであるか、並びに、構成要素の製造元の差異によってさらに妨げられる。
【発明の概要】
【発明が解決しようとする課題】
【０００３】
[0003]  イメージング機器の障害又は機能不全を診断する従来の手法では、最初に、遠隔サービスが、システムへの遠隔接続を介して、問題を識別しようと試みる。この分析が高度に不確実であることに起因して、フィールドサービスエンジニア（ＦＳＥ）が問題を解決することを可能にするために、複数のフィールド交換可能ユニット（ＦＲＵ）が、顧客サイトに送られることが多い。しかしながら、この手法の結果として、余分な構成要素が顧客サイトに送られることになる。その上、障害のある構成要素は、最初の障害分析の間に正確に識別されず、それゆえ送られず、したがってサービス措置の間に現場にないことが多い。したがって、破損したコイルを正確に識別することは通常、簡単ではないため、是正保守の間に、正しく機能する部品が不要に交換されることが多く、又は、機能する部品が、破損した部品とともに交換される。さらに、ＦＳＥは、イメージング機器を完全に機能するようにするために、複数回現場に戻る必要がある。
【０００４】
[0004]  本出願は、イメージングシステム構成要素障害予測及び根本原因判定を容易にする新規の改善されたシステム及び方法を提供し、それによって、上記で参照した問題などを克服する。
【課題を解決するための手段】
【０００５】
[0005]  第１の態様によれば、構成要素信号分析に基づいて磁気共鳴（ＭＲ）イメージングデバイス内の差し迫った構成要素障害を識別することを容易にするシステムは、複数のＲＦコイルを備えるＭＲイメージングデバイスと、複数のコイルがそれぞれ異なる時点において電源に接続されるコネクタとを備える。システムは、複数のＲＦコイルの各々について、少なくとも１つの無線周波数（ＲＦ）コイルパラメータをモニタリングし、少なくとも１つの所定の測定基準に従ってデータポイントを廃棄することによって、フィルタリング済みデータセットを生成し、フィルタリング済みデータセットに基づいて、少なくとも１つのモニタリングされているＲＦコイル内の少なくとも１つの障害状態を識別するように構成されているプロセッサをさらに備える。プロセッサは、識別されている少なくとも１つの障害状態のレポートを送信し、識別されている少なくとも１つの障害状態の根本原因を示す情報及びコイル補修推奨を含む信号を受信し、コイル補修推奨をユーザインターフェース（ＵＩ）上に出力するようにさらに構成されている。
【０００６】
[0006]  別の態様によれば、構成要素信号分析に基づいて磁気共鳴（ＭＲ）イメージングデバイス内の差し迫った構成要素障害を識別する方法は、コネクタを介して電源に周期的に接続される複数のＲＦコイルの各々について、少なくとも１つの無線周波数（ＲＦ）コイルパラメータをモニタリングするステップと、少なくとも１つの所定の測定基準に従って、モニタリングの間に収集されているデータポイントを廃棄することによって、フィルタリング済みデータセットを生成するステップと、フィルタリング済みデータセットに基づいて、少なくとも１つのモニタリングされているＲＦコイル又はイメージングチェーン内の他の部分構成要素内の少なくとも１つの障害状態を識別するステップとを有する。方法は、識別されている少なくとも１つの障害状態の根本原因を示す情報及びコイル補修推奨を含む、識別されている少なくとも１つの障害状態のレポートを送信するステップと、コイル補修推奨をユーザインターフェース（ＵＩ）上に出力するステップとをさらに有する。
【０００７】
[0007]  別の態様によれば、構成要素信号分析に基づいて磁気共鳴（ＭＲ）イメージングデバイス内の差し迫った構成要素障害を識別することを容易にするシステムは、複数の無線周波数（ＲＦ）コイルを備えるＭＲイメージングデバイスと、複数のコイルがそれぞれ異なる時点において電源に接続されるコネクタとを備える。システムは、複数のＲＦコイルの各々についての電圧ＶＤＬ及び少なくとも１つの位相ロック喪失（ＰＬＬ）事象のデータサンプルを収集し、少なくとも１つの所定の測定基準に従ってデータサンプルを廃棄することによって、フィルタリング済みデータセットを生成し、フィルタリング済みデータセットに基づいて、少なくとも１つのモニタリングされているＲＦコイル内の少なくとも１つの障害状態を識別するように構成されているプロセッサをさらに備える。プロセッサは、識別されている少なくとも１つの障害状態の根本原因を示す情報及びコイル補修推奨を含む、識別されている少なくとも１つの障害状態のレポートを送信し、コイル補修推奨をユーザインターフェース（ＵＩ）上で利用可能にするようにさらに構成されている。
【０００８】
[0008]  １つの利点は、健常なＭＲコイルが不要に交換されることがないことである。
【０００９】
[0009]  もう１つの利点は、実際の障害の前に、障害が起こるＭＲシステム構成要素が識別されることである。
【００１０】
[0010]  もう１つの利点は、システム修復が予測されることである。
【００１１】
[0011]  本発明のまたさらなる利点は、当業者には、以下の詳細な説明を読み、理解することによって、了解されよう。
【００１２】
[0012]  図面は、様々な態様を例示することのみを目的としており、限定として解釈されるべきではない。
【図面の簡単な説明】
【００１３】
【図１】[0013]  本明細書において説明されている１つ又は複数の態様による、磁気共鳴（ＭＲ）イメージングシステム内で交換のための候補無線周波数（ＲＦ）コイルを識別することを容易にするシステムを示す図である。
【図２】[0014]  本明細書において説明されている様々な態様による、予測的構成要素交換のための事前構成要素診断を実施することを容易にする構成要素のより詳細なビューを有する、システムの図である。
【図３】[0015]  本明細書において説明されている１つ又は複数の特徴による、疑わしいコネクタの問題によって測定電圧レベルの劣化が進行していることを示す、複数のコイルの低電圧（ＶＤＬ）及び高電圧（ＶＤＨ）のグラフを示す図である。
【図４】[0016]  本明細書において説明されている１つ又は複数の特徴による、繰り返し発生する電圧降下を示す、低電圧（ＶＤＬ）及び高電圧（ＶＤＨ）のグラフを示す図である。
【図５】[0017]  本明細書において説明されている１つ又は複数の特徴による、短過渡電圧問題を示す、低電圧（ＶＤＬ）及び高電圧（ＶＤＨ）のグラフを示す図である。
【図６】[0018]  本明細書において説明されている１つ又は複数の特徴による、測定電圧信号のフィルタリングが実施される様態を示す図である。
【図７】[0019]  本明細書において説明されている１つ又は複数の特徴による、構成要素信号分析に基づいて磁気共鳴（ＭＲ）イメージングシステム内の差し迫った構成要素障害を識別する方法を示す図である。
【発明を実施するための形態】
【００１４】
[0020]  以下の説明は、本発明を例示するためにデジタルＲＦコイルを使用している。無論、同じ原理が、十分な診断情報が利用可能な他の構成要素にも適用され得る。提案されている実施形態は、構成要素（例えば、コイル及びコネクタ）の障害及びコイルの破損の効率的（高速且つ信頼できる）で自動的な遠隔診断を可能にし、それによって、面倒な分析及び複雑な保守作業の技能レベルに依存する結果を軽減する。特に、本発明のソリューションは、種々の信号及びデバイスのヘルス状態の自動的な分析を容易にする。
【００１５】
[0021]  構成要素の特定の障害モード（例えば、コネクタの問題）は、経時的に、特定の診断信号（例えば、電圧及びそれぞれのスキャン）において非常に特異的なパターンを呈する。構成要素（例えば、コイル）のヘルス状態及びそれぞれの特性時間依存パターンとのそれらの相関に関する基準情報を使用して、特定の構成要素の状態又は障害を診断するとともに、予測情報を提供することができる。これによって、従来の手法に見られるような「単純な」エラー閾値又は時間と無関係な相関を使用することでは識別することができない、可能性のある問題のきめ細かな根本原因分析が可能になる。
【００１６】
[0022]  提案されているソリューションは、可能性のある障害モードの複雑さ、及び、コイル状態をより効率的、正確、且つ遠隔して判定することが可能であることに起因して、ＭＲＩコイルに特によく適している。しかしながら、本発明は、十分な予備知識及び診断情報が利用可能な場合、任意の複雑なデバイス及び／又は構成要素に適用可能であることが、当業者には理解されよう。
【００１７】
[0023]  図１は、本明細書において説明されている１つ又は複数の態様による、磁気共鳴（ＭＲ）イメージングシステム内で交換のための候補無線周波数（ＲＦ）コイルを識別することを容易にするシステム１０を示す。システムは、内部配線１６（例えば、電源のためのガルバニック配線など）を介してコネクタ１８（例えば、テーブルコネクタ、システム内に磁石に配置されているコネクタなど）に電力を供給する電源１４を有するＭＲイメージャ１２を備え、コネクタ１８には、外部配線２０を介して、１回又は複数回のＭＲスキャンの間の異なる時点において複数のＲＦコイル２２、３０、３８が結合される。各ＲＦコイル２２、３０、３８は、それぞれの内部配線２４、３２、４８を備え、内部配線を通じて、それぞれの第１の受信モジュール（ＲＸＥ）２６、３４、４２及び第２の受信モジュール（ＲＸＥ）２８、３６、４４に電力が供給される。ＲＸＥは、パラメータ情報（例えば、検出が閾値を上回る場合は秒ごとの電圧）をログ記録する測定機器を備える。システム１０はまた、同様に内部配線１６（例えば、光ファイバハブのための光ファイバ配線など）を介してコネクタ１８に結合されている光ファイバハブ１５をも備え、コネクタ１８には、外部配線２０を介して、１回又は複数回のＭＲスキャンの間の異なる時点において複数のＲＦコイル２２、３０、３８が結合される。各ＲＦコイル２２、３０、３８は、それぞれの内部配線２４、３２、４８を備え、内部配線を通じて、それぞれの第１の受信モジュール（ＲＸＥ）２６、３４、４２及び第２の受信モジュール（ＲＸＥ）２８、３６、４４に信号が供給される。
【００１８】
[0024]  ＭＲイメージングデバイス１２は、本明細書において説明されている様々な機能、措置、方法などを実施するためのコンピュータ実行可能命令を実行するプロセッサ４６及び当該コンピュータ実行可能命令を記憶するメモリ４８に結合されている。メモリ４８は、ディスク、ハードドライブなどのような、制御プログラムが記録されているコンピュータ可読媒体である。一般的な形態のコンピュータ可読媒体は、例えば、フロッピーディスク、フレキシブルディスク、ハードディスク、磁気テープ、若しくは任意の他の磁気記憶媒体、ＣＤ−ＲＯＭ、ＤＶＤ、若しくは任意の他の光学媒体、ＲＡＭ、ＲＯＭ、ＰＲＯＭ、ＥＰＲＯＭ、ＦＬＡＳＨ−ＥＰＲＯＭ、それらの変形形態、他のメモリチップ若しくはカートリッジ、又は、プロセッサ４６がそこから読み出し実行することができる任意の他の有形媒体を含む。この文脈において、記載されているシステムは、１つ又は複数の汎用コンピュータ、専用コンピュータ、プログラムされたマイクロプロセッサ若しくはマイクロコントローラ及び周辺集積回路要素、ＡＳＩＣ又は他の集積回路、デジタル信号プロセッサ、個別素子回路のような配線接続電子回路又は論理回路、ＰＬＤ、ＰＬＡ、ＦＰＧＡのようなプログラム可能論理デバイス、グラフィックスプロセッシングユニット（ＧＰＵ）、又はＰＡＬなどの上で、又はそれらとして実施される。
【００１９】
[0025]  図２は、本明細書において説明されている様々な態様による、予測的構成要素交換のための事前構成要素診断を実施することを容易にする構成要素のより詳細なビューを有する、システム１０の図である。システムは、それに記憶されるものとして、ＭＲログファイル、ＭＲイメージングデバイス１２、プロセッサ４６、メモリ４８、及びユーザインターフェース５０を含む。メモリは、コネクタを介してＭＲイメージングデバイスにプラグ接続されている各コイルのコイル識別（ＩＤ）情報１０２を含むＭＲログファイル１００を記憶している。ログファイルは又、各コイルが使用されたスキャンのタイプ及び継続時間を記述するスキャンログ１０４をも含む。この情報は、各コイルがどれだけ重度に使用されたかを判定するのに有用であり、この情報は、残りのコイル寿命を評価するためなどに使用される。
【００２０】
[0026]  メモリはまた、プロセッサ４６によって実行されると、１つ又は複数のコイルパラメータをモニタリングするパラメータモニタリングモジュールをも記憶する。モニタリングされるコイルパラメータは、現提ではないが、測定電圧、スキャンタイプ及び継続時間（例えば、頭部及び頸部、全身、コントラストスキャンなど）、コイル使用期間（例えば、製造、設置などから数えた）、コイルバージョン（これには故障率が関連付けられる）、コイルが使用された回数（例えば、コネクタが使用された回数、コイルが使用された総スキャン継続時間（総使用時間長））などを含む。このモニタリングされるパラメータ情報は、プロセッサによる分析のために、様々なログファイル及びストレージに記憶される。
【００２１】
[0027]  メモリは、プロセッサ４６によって実行されると、モニタリングされているパラメータを閾値と比較する比較モジュール１０８をさらに含む。測定電圧を例にとると、モニタリングされている電圧が所定の閾値を下回って降下した場合、障害検出モジュール１１０（同じくプロセッサによって実行される）がコイル内の障害状態を識別する。別の実施形態において、障害検出モジュールは、測定電圧が、所定の時間期間内又はスキャン回数内に所定の測定回数にわたって所定の閾値を下回ったときに、障害状態を識別する。比較モジュールは加えて、他のモニタリングされるパラメータを他の所定の閾値と比較する。例えば、コイルの総使用時間を所定の閾値と比較することができ、これを上回ると、コイルは、差し迫った障害又は予防的交換などのためにフラグ立てされる。
【００２２】
[0028]  プロセッサ４６は、評価のために、定期的に（例えば、毎時間、毎日など）遠隔サーバ（図示せず）に信号分析レポート１１２を送信する。信号分析レポートは、コイル使用状況に関連する情報、検出されている障害の情報、差し迫った障害の情報などを含む。プロセッサは、遠隔サーバから補修推奨メッセージ１１４を受信し、現場の（すなわち、ＭＲイメージングデバイスのところにいる）技術者に補修推奨を提示する。技術者に提示される補修推奨はまた、コイルを交換すべきであるという最終決定の前の推奨される措置をも含む。フィルタリングモジュール１１８は、プロセッサによって、評価のために遠隔サーバにデータを送信する前に、無効なデータポイントをフィルタリング除外するために実行される。フィルタリングが実行される様式は、図６に関連してより詳細に説明する。
【００２３】
[0029]  表１は、診断信号分析によって生成される、システム並びにそれぞれのデバイス及び／又は部分構成要素のための警告に基づいて、遠隔診断（すなわち、ＭＲシステムのロケーションにない）のためにプロセッサ４６によって送信されるなどの、障害情報の単純化された例を示す。
【００２４】
【表１】
2020511217.tif 000003
【００２５】
[0030]  表２は、プロセッサ４６によって受信されるもののような補修推奨レポートの一例を示す。例示的な命令は、フィールドサービスエンジニア（システムのロケーションにいる）に対する診断分析及び／又は論理によって生成される警告に基づく。
【００２６】
【表２】
2020511217.tif 000004
【００２７】
[0031]  １つの実施形態において、補修推奨テーブル１１６が、ユーザインターフェース上に提示される。補修推奨テーブル１１６は、そのコイル識別情報（例えば、シリアル番号、コイル番号、又は何らかの他の適切な識別子）によって各コイルを識別し、コイルを交換すべきか否かを示す。例えば、測定電圧が特定の期間内で所定の使用回数又は所定の回数にわたって所定の閾値電圧を下回って降下したコイルが、交換を推奨される。低電圧測定値を呈しない他のコイルは、交換を推奨されない。別の実施形態において、補修推奨テーブル１１６は、補修又は交換を必要とするＭＲシステムの他の構成要素を識別する。例えば、モニタリングされるコイル電圧情報を使用して、ＲＦコイルの１つ又は複数を電源に接続するコネクタに障害があること、及び／又は、ＲＦコイルの１つ又は複数をコネクタに接続するコイルインターフェースに障害があることを判定することができる。
【００２８】
[0032]  引き続き図１及び図２を参照すると、経時的な様々な信号の以下の図面及び説明は、種々の信号のそのような時間依存特性パターン、並びに、障害モード及び根本原因を区別するためにその分析をどのように使用することができるかを示す。
【００２９】
[0033]  図３は、本明細書において説明されている１つ又は複数の特徴による、疑わしいコネクタの問題によって測定電圧レベルの劣化が進行していることを示す、複数のコイルの低電圧（ＶＤＬ）１５０及び高電圧（ＶＤＨ）１６０のグラフを示す。複数のコイルの各々の測定電圧は、それぞれの色分けされた点によって表される。電圧の変動は、内部デバイスネットワークの状態が不安定又は障害があることを示す。特定の関与するデバイス（例えば、コイルインターフェース）、サブシステム（ＲＸＥ０）及び信号（ＶＤＬ）の分析を利用して、障害モード（例えば、電圧接続／コネクタの破損又は劣化）及び位置（例えば、コイルインターフェース）を識別することができる。この種類の信号劣化は、実際にシステムが機能不全になる前に障害を予測するために使用され、これは、それぞれの未然の措置によって対処することができる。
【００３０】
[0034]  グラフ１５０によれば、所定の電圧閾値は１．２ボルトに設定されている。この閾値電圧を一貫して又は繰り返し下回って測定されるコイルは、交換の候補と考えられる。見てとれるように、測定期間（例えば、数週間などの期間）の終わりまでに、いくつかのコイルの電圧が１．２Ｖ閾値を下回って降下している。この例において、紫色の点は、頭部及び頸部のコイルの測定電圧を示す。頭部及び頸部のコイルの測定電圧１５２（紫色）は、モニタリングされる期間の終わりまでに一貫して閾値を下回っており、したがって、頭部及び頸部のコイルは交換の候補である。頭部コイル（緑色）、ベースコイル（紺青色）のような他のコイルが、閾値を下回る測定電圧を示しているが、散発的なものに過ぎず、したがって、交換の候補ではない。
【００３１】
[0035]  図４は、本明細書において説明されている１つ又は複数の特徴による、繰り返し発生する電圧降下を示す、低電圧（ＶＤＬ）１７０及び高電圧（ＶＤＨ）１８０のグラフを示す。この信号視覚化は、指定の通常動作範囲（赤色の線）を下回る電圧降下が発生した後に実施された（示されている時間の約２／３において）是正措置１８２を示している。この措置は、一定の時間にわたって通常の動作範囲の電圧（ＶＤＨ）をもたらした。
【００３２】
[0036]  しかしながら、措置の直後のＶＤＨの電圧劣化の再発は、障害の根本原因が、最初の是正措置によって正しく対処されなかったことを示す。したがって、続いて行われる措置は、特に電源により近い、根本原因のより広範囲の探索を含むべきである。これは、グラフによれば、システムに接続されているすべてのコイルがこの電圧問題の影響を受けているためである。
【００３３】
[0037]  図５は、本明細書において説明されている１つ又は複数の特徴による、短過渡電圧問題を示す、低電圧（ＶＤＬ）１９０及び高電圧（ＶＤＨ）２００のグラフを示す。信号視覚化は、信号（ＶＤＬ、ＶＤＨ）が通常、所定の閾値（赤色の線）を上回ったままであることを示す。しかしながら、ある瞬間２０２（すなわち、視覚化されている時間の約３／４における１日の間）において、ＶＤＨ信号の著しい降下（すべてのデバイスにわたる）が発生する。これは、コイル／コネクタの漸進的な劣化又は障害の問題は提示されないが、システムの過渡的な状態が機能不全をもたらすことを示す。これは、システムの使用／オペレータに起因する可能性が最も高く、直ちに是正処置に処す必要はない。したがって、与えられている例から、特定の信号及びデバイスの分析及びコンテキストが、障害の障害モード及び／又は根本原因を識別するために使用することができる値の情報を提供することは明らかである。
【００３４】
[0038]  説明されている視覚的分析は、現提ではないが、フィルタリング（窓動作を伴う又は伴わない）、相関、曲線適合などを含む、適切な数値的信号分析によって実施することができる。例えば、それらの時間的コンテキストに起因する実際の機能不全を表さない規格外事象（すなわち、コイルの接続切断又は接続の瞬間の間の位相ロック喪失エラー）をフィルタリング除外することができる。別の実施形態において、スキャンが実施されることに起因する短過渡変動を排除又は低減するために、信号のローパスフィルタリングが実施される。別の実施形態において、時間窓動作を伴う分析が実施され、信号分析が過敏になるのを回避するために、指定の最小継続時間を超えて存在するエラーのみがエラーとして考えられることが保証される。
【００３５】
[0039]  本明細書において説明されているＭＲシステムは複数のコネクタを有し、複数のコイルがそれらの各々に接続される。電圧及び位相ロック喪失（ＰＬＬ）のような他の障害モードを含む、多数のパラメータが、デジタルコイルによってモニタリングされる。データが適切にフィルタリングされた後、毎日のログファイルからのフィルタリングされたデータが、モニタリングされているデータ（デジタルコイルからのデータ、環境データ（技術室又は実験室）又は他のデジタル構成要素からのデータを含む）を含むファイルのような、他のソースとともに分析される。コネクタは、デジタルデータ及び供給電圧を伝送するためのレンズシステムを含む。コイルが接続された後、すべてのデジタル内部構成要素が正確なセンサデータを提供する前に遅延期間が存在し、結果、ほとんどの場合、プラグ事象周辺のデータをフィルタリング除外する必要がある。コイルがプラグ接続されるよりも前のタイムスタンプを伴ってログ記録された任意のサンプルは、コイルサブシステムと実際のログファイルとの間の時間同期が不正確であることから生じるエラーを表すため、フィルタリング除外する必要がある。さらに、コイルをプラグ接続した直後に発生するサンプルはフィルタリング除外する必要があり、フィルタ定数の継続時間は、ログ記録されている個々のパラメータに適合される必要がある。２部品コイルの第２の部品がプラグ接続されるとき、第１の部品（すでに接続されている部品）内の電圧の変化が発生する可能性があり、結果、他のコイルのプラグ事象周辺でログ記録されるサンプルもフィルタリングされる。モニタリングの開始時の時間遅延は、フィルタリングを容易にするように選択される（例えば、位相ロック喪失の場合は９０秒）が、スキャンの終了時の時間遅延は、患者がイメージングデバイスを離れて移動し、コイルをプラグ接続解除するのに必要な時間よりも短くなるように選択される（例えば、プラグ接続解除事象の１５秒前に、データサンプルがフィルタリング除外される）。
【００３６】
[0040]  図６は、本明細書において説明されている１つ又は複数の特徴による、測定電圧信号のフィルタリングが実施される様態を示すダイアグラム２３０を示す。プロセッサ４６による信号（「電圧ＶＤＬ」と名付けられている信号の円によって示される（第２行内））のフィルタリングが、「プラグ事象」及びそれぞれの有効測定範囲に関する情報を含む二次情報源と関連して実施される、すなわち、コイルをプラグ接続した直後又はコイルをプラグ接続解除する直前の信号は有効であるとは考えられない。結果として、赤色の×印を有しない円のみが、診断分析に有効なデータを示す。
【００３７】
[0041]  ダイアグラム２３０において、最上行２３２は、モニタリングされるデバイス又はコイル（例えば、ベースコイル）の事象を示す。事象は、ベースコイルが接続される時点Ｃ、及び、ベースコイルが接続切断される時点Ｄを含む。接続遅延期間２３４が示されており、これは、接続時点Ｃから第１の有効サンプリング期間２３６までに及ぶ。図の中央行２３８は、モニタリングされるコイルのパラメータ（例えば、電圧ＶＤＬ）について収集されるデータサンプルを示し、データサンプルはフィルタリングを必要とする。図の最下行２４０は、システム内の異なるコイル（例えば、トップコイル）の事象を示し、事象は、モニタリングされるコイルのデータサンプルのフィルタリングに影響を与える。具体的には、異なるコイル（例えば、トップコイル）の接続時点Ｃ’において、モニタリングされるコイルの電圧ＶＤＬが変動する。それゆえ、接続時点Ｃ’の周辺に遅延期間２４２が示されており、その間、収集されるデータサンプルは無効であると考えられる。異なるコイルは後に時点Ｄ’において接続切断される。遅延期間２４２の後、第２の有効サンプリング範囲２４４が示されており、その間、モニタリングされるコイルについて収集されるデータサンプルは有効と考えられる。ベースコイル接続切断Ｄが検出されると、第２の有効範囲２４４から接続切断Ｄまでに及ぶ遅延期間２４５内のデータサンプルも無効であると考えられ、フィルタリング除外される。
【００３８】
[0042]  図６の例において、データサンプル２４６は、ベースコイルの接続の前に発生するためにフィルタリング除外される（すなわち、接続の前に電圧ＶＤＬはないはずであるため、このサンプルは無効であると考えられる）。第２のデータサンプル２４８は、接続遅延期間内に発生するためにフィルタリング除外される（すなわち、ベースコイル接続の後の早すぎる時点で発生しており、有効であるとは考えられない）。データサンプル２５０、２５２は第１の有効サンプリング範囲内で発生し、それゆえ、フィルタリング除外されない。データサンプル２５４は、トップコイルが接続された、有効サンプリング範囲２３６、２４４の間の遅延期間２４２内で発生し、それゆえ、フィルタリング除外される。データサンプル２５６、２５８は第２の有効サンプリング範囲内で発生し、それゆえ、フィルタリング除外されない。データサンプル２６０は接続切断遅延期間２４５の間に発生し（すなわち、ベースコイルが接続切断される時点に近すぎる）、有効であると考えられ、それゆえ、フィルタリング除外される。無効なデータサンプルのフィルタリングは、図１のプロセッサ４６によって、所与のスキャン又はテスト手順などの間に、各データポイントと関連付けられるタイムスタンプを、種々のコイルの接続及び接続切断の時点と比較することによって実施されることは理解されよう。
【００３９】
[0043]  １つの実施形態において、フィルタリングを実行するとき、プラグ事象遅延の継続時間（その間はデータサンプル点が無効であると考えられる、コイルのプラグ事象の前の遅延期間及びプラグ接続解除事象の後の遅延期間）は、無効な位相ロック喪失事象が最小限に抑えられるように選択される。例えば、遅延期間が短すぎる（例えば、３秒など）場合、偽陽性ＰＬＬ事象が、データサンプルセットから適切にフィルタリング除外されない場合がある。他方、プラグ事象遅延期間が長すぎる場合、実際のＰＬＬ事象が不要にフィルタリング除外される場合がある。
【００４０】
[0044]  別の実施形態において、ＱＰＩ（画像品質劣化をもたらすスパイクに関係付けられ、ＭＲデバイスによって測定されるパラメータ）を使用して、無効なデータセットのフィルタリングが実施される。サンプリングされるパラメータデータが種々のシステム間で比較可能であるようにするために、また、すべてのシステムの閾値を生成するために、データは、例えば、スキャン時間又は何らかの他の適切な測定基準に対して正規化され、その後、例えば１日ごとに、集約される必要がある。一例によれば、上限ＱＰＩ閾値が設定され（例えば、０．５）、これを上回るデータサンプルは、障害を表すと考えられる。例えば、１日ごとに集約されている、この特定のパラメータの所定数の障害サンプルが閾値を超える場合、コイルの補修又は交換を求める警告を生成することができる。
【００４１】
[0045]  別の実施形態において、ＰＬＬデータが１日ごとに集約され、スライディングウィンドウ（例えば、５日間の継続時間又は何らかの他の所定の継続時間を有する）が使用されて、ウィンドウ内の１日を超える時間においてＰＬＬ事象が発生したか否かがチェックされる。例えば、２回を超える事象がスライディングウィンドウ内に入る場合、警告が生成され、分析のために遠隔サーバに送信される。スライディングウィンドウ継続時間は、モニタリングされる特定のコイルがウィンドウ内で少なくとも２回、ＭＲイメージングデバイスに接続されるのに十分に長くなるように選択される。例えば、ＭＲコイルが週に１度しか使用されない場合、３週間、５週間などのウィンドウが選択される。
【００４２】
[0046]  別の実施形態において、各コイルの電圧ＶＤＬがモニタリングされる。下回ると警告が生成される所定の閾値が設定される。ＶＤＬの劣化は、コネクタに接続されているすべてのコイルにわたってモニタリングされることは理解されよう。例えば、コイル供給電圧（フィルタリング後）の最小値が閾値を下回って降下する場合、コネクタに接続されている複数のコイルのうちの１つについてのみ低電圧が発生する場合に、データサンプルはコイル欠陥に関する警告としてカウントされる。しかしながら、複数のコイルが同じ挙動を示す場合、問題はコネクタ又はコネクタの電源にある可能性がより高く、データはコネクタごとに分析される必要がある。
【００４３】
[0047]  例えば、特定のコイルが１つのコネクタ上で低電圧を示すが、異なるコネクタでは正常な電圧を示す場合、根本原因はコイルの問題ではなく、コネクタの問題であると判定される。しかしながら、複数のコネクタにおいて１つのコイルのみが問題を示す場合、根本原因はコイルの欠陥であると判定される。
【００４４】
[0048]  図７は、本明細書において説明されている１つ又は複数の特徴による、構成要素信号分析に基づいて磁気共鳴（ＭＲ）イメージングシステム内の差し迫った構成要素障害を識別する方法を示す。４００において、少なくとも１つの無線周波数（ＲＦ）コイルパラメータが、コネクタを介して電源に周期的に接続される複数のＲＦコイルの各々についてモニタリングされる。４０２において、少なくとも１つの所定の測定基準に従って、モニタリング中に収集されるデータポイントを廃棄することによって、データセットがフィルタリングされる。１つの例によれば、少なくとも１つの所定の測定基準が、所与のコイルがコネクタにプラグ接続され又はコネクタからプラグ接続解除される時点に隣接して、その前及び後のうちの少なくとも１つにおいて発生するプラグ事象遅延期間であるとき、フィルタリング済みデータセットは、プラグ事象遅延期間内に入るデータサンプルを廃棄することによって生成することができる。付加的に又は代替的に、所定の測定基準がＰＬＬ事象の所定の閾値数であるとき、フィルタリング済みデータセット内で検出されるＰＬＬ事象の数が、所定の期間、又は、プラグ事象周辺の有効時間範囲にわたってフィルタリングすることによって決定される期間のセット内で、所定の閾値を超えるときに、警告を生成することができる。
【００４５】
[0049]  ４０４において、フィルタリング済みデータセットに基づく少なくとも１つのモニタリングされるＲＦコイル内の少なくとも１つの障害状態が識別される。４０６において、識別されている少なくとも１つの障害状態のレポートが、遠隔サーバに送信される。４０８において、識別されている少なくとも１つの障害状態の根本原因を示す情報及びコイル補修推奨を含む信号が、遠隔サーバから受信される。４１０において、補修推奨がユーザインターフェース（ＵＩ）上に出力される。
【００４６】
[0050]  本発明は、いくつかの実施形態を参照して説明されている。先行する詳細な説明の読解及び理解を受けて、他のものに対する修正及び改変を行うことができる。本発明は、添付の特許請求項及びそれらの均等物の範囲内に入る限り、すべてのそのような修正及び改変を含むものとして解釈されることが意図されている。
【図１】
2020511217.tif 000005
【図２】
2020511217.tif 000006
【図３】
2020511217.tif 000007
【図４】
2020511217.tif 000008
【図５】
2020511217.tif 000009
【図６】
2020511217.tif 000010
【図７】
2020511217.tif 000011
【国際調査報告】
2020511217.tif 000012
2020511217.tif 000013